(57)【要約】【課題】  蓋類の開閉性及び蓋類と蓋受け間の隙間の閉塞性に優れた蓋受け用のパッキンを提供する。【解決手段】  蓋受け５とこれに嵌合する蓋７との間に介装するパッキン１であって、縦片部２に横片部３を連設した断面略Ｌ形とし、縦片部２の蓋受け５に接する外側面２ｂ及び／又は蓋７に接する内側面２ｃに凹部４を上下に所定幅を有して長さ方向に連続又は断続的に設け、縦片部２が蓋受け５の段部６の立上り面６ａと蓋７の外壁面７ａ間に、横片部３が上記段部６の略水平面６ｂと蓋７の端部下面７ｂ間に挟圧されるようにする。又、縦片部２の内側面２ｃを上下方向に屈曲して凸状屈曲面又は湾曲面としたり、縦片部２の厚みをその下方で分厚く及び／又は横片部３の厚みをその先端側で分厚くしたり、縦片部２の上端部２ａ及び／又は横片部３の先端部３ａに丸みを付す。【選択図】図２
2011064051.tif 000002
【特許請求の範囲】
【請求項１】
蓋受け（５）とこれに嵌合する蓋（７）との間に介装されるパッキン（１）であって、縦片部（２）に横片部（３）が連設された断面略Ｌ形となされ、縦片部（２）の蓋受け（５）に接する外側面（２ｂ）及び／又は蓋（７）に接する内側面（２ｃ）に凹部（４）が上下に所定幅を有して長さ方向に連続又は断続的に設けられ、縦片部（２）が蓋受け（５）の段部（６）の立上り面（６ａ）と蓋（７）の外壁面（７ａ）間に、横片部（３）が上記段部（６）の略水平面（６ｂ）と蓋（７）の端部下面（７ｂ）間に挟圧されるようになされた蓋受け用のパッキン。
【請求項２】
縦片部（２）の内側面（２ｃ）が上下方向に屈曲されて凸状屈曲面又は湾曲面をなす請求項１記載の蓋受け用のパッキン。
【請求項３】
縦片部（２）の厚みがその下方で分厚く及び／又は横片部（３）の厚みがその先端側で分厚くなされた請求項１又は２記載の蓋受け用のパッキン。
【請求項４】
縦片部（２）の上端部（２ａ）及び／又は横片部（３）の先端部（３ａ）に丸みが付された請求項１又は２又は３記載の蓋受け用のパッキン。
【発明の詳細な説明】
【技術分野】
【０００１】  本発明は蓋受け用のパッキンに関し、更に詳しくはマンホール、汚水マス、各種弁室、栓室等の地表埋設用枠体或いはＵ形等溝類の上部開口部の蓋受けとこれに嵌合する蓋類との間に介装される蓋受け用のパッキンに関するものである。
【背景技術】
【０００２】  従来、この種の蓋受けとこれに嵌合する蓋類との間に介装されるパッキンは、例えば断面円形となされて蓋の外周壁面、若しくは地表埋設用枠体の上部開口部の蓋受けの蓋受用段部内周面に装着されたり、断面略Ｌ形の屈曲状となされて蓋受けの蓋受用段部内周面に装着され、該パッキンが蓋の閉塞時に蓋の外周壁面や周縁部下面と蓋受け段部との間で圧縮変形されることにより、蓋と蓋受け間に生じる隙間を閉塞して蓋のがたつきをなくしたり、上記隙間からの雨水等の流入やごみ、土砂等の侵入防止、或いは地表埋設用枠体内から外部への悪臭の発散防止等を図るようになされたものがある。
【発明の概要】
【発明が解決しようとする課題】
【０００３】  しかしながら、かかる従来のパッキンは、断面円形の場合には、蓋の開閉時にパッキンが蓋受け段部との接触摩擦でずれ動いたり、或いは蓋の開閉性を考慮するとパッキンの変形度合（パッキンが蓋と蓋受け段部により挟圧されて夫々に接する度合）を余り大きくできず、又、変形度合を大きく設定すると、蓋受けへの蓋の嵌合が行い難い（パッキンを押し潰す）うえに、蓋を固定閉塞する作用が劣る問題点があった。
又、断面略Ｌ形の屈曲状の場合には、上記蓋の開閉時の蓋受け段部との接触摩擦による移動を防止できるものの、パッキンの略全体が単に蓋と蓋受け段部に接するようになされてそのまま挟圧されることから、上記と同様に蓋の開閉、嵌合性や蓋と蓋受けの熱変形（特に、膨張）性の面からパッキンの弾性変形が不十分となる問題点があり、又、蓋の閉塞時に蓋の端縁下部がパッキンの角張った上端部に引っ掛かって蓋の嵌合作業がしにくいという問題点もあった。
即ち、上記何れの場合においても蓋上やその近辺の車両や人の通行等に起因する振動や衝撃等によって蓋が動いたり、蓋や蓋受けに熱変形など何らかの力が加わって隙間におけるパッキンの配置状態が不十分となりやすく、パッキンの効果が必ずしも十分発揮できていない問題点があった。
本発明は上記問題点に鑑みてなされたものであり、蓋類の開閉性及び蓋類と蓋受け間の隙間の閉塞性に優れた蓋受け用のパッキンを提供することを課題としている。
【課題を解決するための手段】
【０００４】  上記課題を解決するために、本発明の蓋受け用のパッキンは、蓋受け５とこれに嵌合する蓋７との間に介装されるパッキン１であって、縦片部２に横片部３が連設された断面略Ｌ形となされ、縦片部２の蓋受け５に接する外側面２ｂ及び／又は蓋７に接する内側面２ｃに凹部４が上下に所定幅を有して長さ方向に連続又は断続的に設けられ、縦片部２が蓋受け５の段部６の立上り面６ａと蓋７の外壁面７ａ間に、横片部３が上記段部６の略水平面６ｂと蓋７の端部下面７ｂ間に挟圧されるようになされたものである。【０００５】  又、本発明の蓋受け用のパッキンは、上記パッキンにおいて、縦片部２の内側面２ｃが上下方向に屈曲されて凸状屈曲面又は湾曲面をなす構成を採用することができる。【０００６】  又、本発明の蓋受け用のパッキンは、上記各パッキンにおいて、縦片部２の厚みがその下方で分厚く及び／又は横片部３の厚みがその先端側で分厚くなされた構成を採用することができる。【０００７】  又、本発明の蓋受け用のパッキンは、上記各パッキンにおいて、縦片部２の上端部２ａ及び／又は横片部３の先端部３ａに丸みが付された構成を採用することができる。
【発明の効果】
【０００８】  本発明の蓋受け用のパッキンは、縦片部の蓋受けに接する外側面に凹部が上下に所定幅を有して長さ方向に連続又は断続的に設けられているので、蓋受けに装着した際に上記凹部によって蓋受け（段部の立上り面）とパッキン（縦片部）間に所定の空隙が形成され、蓋の閉塞、嵌合時に縦片部が蓋受けの段部立上り面と蓋の外壁面間に挟圧されると、パッキン（縦片部）が上記空隙を圧縮してその外側面が段部立上り面に圧接されて十分弾性変形するとともに、横片部が蓋受けの段部略水平面と蓋の端部下面間に挟圧されることと相俟って、蓋と蓋受けの段部間の隙間を確実に閉塞できる。
又、縦片部の蓋に接する内側面に上記と同様に凹部が設けられていると、該凹部によって蓋の閉塞、嵌合時に蓋の外壁面とパッキン（縦片部）間に形成される所定の空隙が上記挟圧とともに圧縮されてその内側面が蓋の外壁面に圧接され、又、縦片部の内外両側面に上記凹部が設けられていると、蓋の閉塞、嵌合時に上記両作用が絡み合ってパッキン（縦片部）の内外両側面が蓋と蓋受けに圧接され、夫々十分弾性変形するとともに、上記と同様に横片部が蓋受けの段部略水平面と蓋の端部下面間に挟圧されることと相俟って、蓋と蓋受けの段部間の隙間を確実に閉塞できる。
従って、従来の如く蓋上やその近辺の車両や人の通行等に起因する振動や衝撃等でパッキンによる隙間の閉塞状態が不十分となるようなことがなく、パッキンの効果が有効に発揮できる。
更に、上記縦片部の凹部によって形成された空隙が蓋の閉塞、嵌合とともに圧縮されることから、蓋の開放時に上記空隙を広げる如くパッキンが速やかに弾性変形して開放作業に支障を来すようなことがなく、又、蓋や蓋受けが熱変形、特に膨張しても、上記凹部による空隙がパッキン自体の変形の逃げ場となり、その体積変化を吸収して蓋の蓋受け（パッキン）への食い込みを防止して好適な嵌合状態を保つ。【０００９】  又、本発明の蓋受け用のパッキンは、縦片部の内側面が上下方向に屈曲されて凸状屈曲面又は湾曲面をなすことから、蓋の閉塞、嵌合時に、縦片部の内側面全体が直ちに蓋の外壁面に圧接されず、蓋の外壁面と縦片部の内側面との間に空隙が形成されつつ上記挟圧とともに空隙が圧縮されてパッキンが十分弾性変形し、上記蓋と蓋受けの段部間での隙間の閉塞性を向上させることができる。【００１０】  又、本発明の蓋受け用のパッキンは、縦片部の厚みがその下方で分厚くなされていると、蓋の閉塞、嵌合が進むに従って漸次分厚くなる縦片部が適宜に反発弾性を発揮して圧縮変形し、上記隙間の閉塞がより確実に行なえ、又、横片部の厚みがその先端側で分厚くなされていると、蓋の閉塞、嵌合時に横片部が蓋受けの段部略水平面と蓋の端部下面間で圧縮変形して分厚い先端部が上記略水平面と下面との隙間から内腔側に膨出して隙間を確実に密閉し、例えば汚水マス等の内腔から外部への悪臭の発散防止等に優れた効果を発揮し、又、縦片部及び横片部ともその厚みが上記の如くなされていると、上記両作用により上記隙間を確実に閉塞できる。【００１１】  又、本発明の蓋受け用のパッキンは、縦片部の上端部に丸みが付されていると、蓋の閉塞時、即ち蓋の蓋受けへの嵌合時に蓋の端縁下部がパッキン（縦片部）の上端部に引っ掛からず、上記丸みに沿って蓋を速やかに嵌合できるとともに、蓋と蓋受け間で隙間を閉塞してその上面からの雨水の流入、ごみや土砂等の侵入防止が確実に図れ、又、横片部の先端部に丸みが付されていると、蓋の閉塞、嵌合時に横片部が蓋受けの段部略水平面と蓋の端部下面間で圧縮変形する際、その先端部が変形しやすくて、上記略水平面と下面との隙間から内腔側に突出して上記隙間を確実に閉塞でき、特に上記の如く先端側が分厚い場合にはこれと相俟って上記隙間を一層確実に密閉できる。
【図面の簡単な説明】
【００１２】
【図１】  本発明の蓋受け用のパッキンの一実施の形態を示し、（イ）は一部背面図、（ロ）は（イ）のＡ−Ａ断面図。
【図２】  （イ）は図１のパッキンを装着した蓋受けを示す要部断面図、（ロ）は（イ）の蓋受けに蓋を嵌合した状態を示す要部断面図。
【図３】  本発明の蓋受け用のパッキンの他実施の形態に係るパッキンを装着した蓋受けを示す要部断面図。
【図４】  本発明の蓋受け用のパッキンの更に他実施の形態を示し、（イ）は一部正面図、（ロ）は（イ）のＢ−Ｂ断面図、（ハ）は使用状態を示す要部断面図。
【図５】  （イ）〜（ハ）の左半部は夫々本発明のパッキンを装着した各種蓋受けの平面図、右半部は上記蓋受けに蓋を嵌合した平面図。
【図６】  本発明の蓋受け用のパッキンの更に他実施の形態に係るパッキンを装着した蓋受けを示す要部断面図。
【図７】  （イ）及び（ロ）は夫々本発明の蓋受け用のパッキンの更に他実施の形態に係るパッキンを装着した蓋受けを示す要部断面図。
【図８】  （イ）及び（ロ）は夫々本発明の蓋受け用のパッキンの更に他実施の形態に係る使用状態を示す要部断面図。
【図９】  （イ）〜（ニ）は夫々本発明の蓋受け用のパッキンの更に他実施の形態を示す断面図。
【図１０】  （イ）は本発明の蓋受け用のパッキンの更に他実施の形態を示す一部背面図、（ロ）は（イ）のＣ−Ｃ断面図、（ハ）は本発明の蓋受け用のパッキンの更に他実施の形態を示す一部正面図、（ニ）は（ハ）のＤ−Ｄ断面図。
【図１１】  （イ）〜（チ）は夫々本発明の蓋受け用のパッキンの更に他実施の形態を示す断面図。
【図１２】  （イ）〜（ハ）は夫々本発明の蓋受け用のパッキンの更に他実施の形態を示す断面図。
【図１３】  図１１（ハ）に示すパッキンの使用状態を示す要部断面図。
【発明を実施するための形態】
【００１３】  以下、図面を参照しながら本発明の実施の形態について説明する。
図１は本発明の蓋受け用のパッキンの一実施の形態を示し、本実施形態のパッキン１はゴム、合成樹脂等の弾性を有する材料から作製され、図１（イ）及び（ロ）に示す如く、縦片部２の下端部に横片部３が連設された断面略Ｌ形の長尺体となされている。
上記縦片部２は、図１（ロ）に示す如く、その上端部２ａが断面略凸湾曲状をなして丸みが付され、略垂直状の外側面２ｂに相対する内側面２ｃが傾斜状となされてその厚みが上端から下端に向け漸次分厚くなされており、略垂直状の外側面２ｂはパッキン１を装着する後述の蓋受け５の蓋受用の段部６の略垂直状の立上り面６ａに、又、傾斜状の内側面２ｃは蓋受け５に嵌合する蓋７の傾斜状の外壁面７ａに夫々略適合すべくなされている。
又、縦片部２は上記外側面２ｂの上下端部を除く上下方向中途部に、凹部４が上下に所定幅を有してパッキン１の長さ方向に沿って連続的に設けられている。上記図１（イ）及び（ロ）の場合、凹部４は上下方向で縦片部２の高さに対してその略１／３の割合を占めて上下に広がる所定幅を有しているが、この所定幅は必ずしもこれに拘束されず、縦片部２の高さに対してある程度の割合を占めればよいとともに、縦片部２の上記厚みの変化に応じて下方に向け漸次深く凹陥され、後述の圧縮変形時に縦片部２が十分な弾性変形可能なように設けられている。
又、パッキン１の横片部３は縦片部２に比し厚みが薄い略均一厚みの板片状となされ、縦片部２に略水平方向に連設されている。
【００１４】  上記パッキン１は、図２（イ）に示す如く、蓋受け５の蓋受用の段部６の略垂直状の立上り面６ａに縦片部２の外側面２ｂが接するとともに、縦片部２の丸みを帯びた上端部２ａが上記段部６の立上り面６ａの上端部付近に位置され、横片部３が上記段部６の略水平面６ｂ上に接して装着される。その際、縦片部２の外側面２ｂに設けられた凹部４によって段部６の立上り面６ａと縦片部２との間に所定の空隙８（上下に広がる所定幅を有してパッキン１の長さ方向に連続する）が形成される。
又、蓋受け５は、図２（イ）の場合にはコンクリート製等の枠状ブロック体９の上部開口段部に沿って断面略Ｌ形の金属製等の受枠材５ａが設けられることで形成され、該受枠材５ａが上記段部６を構成し、上記長尺状のパッキン１は蓋受け５の段部６の延長方向に沿って段部６に装着される。
【００１５】  上記パッキン１を装着した蓋受け５に金属製等の蓋７を嵌合すると、図２（ロ）に示す如く、パッキン１が蓋７と蓋受け５の段部６により挟圧されて圧縮変形する。その際、パッキン１の縦片部２が蓋７の傾斜状外壁面７ａにより押圧されて上記空隙８を圧縮し、縦片部２の外側面２ｂが段部６の立上り面６ａに圧接するべく十分弾性変形するとともに、横片部３が蓋受け５の段部６の略水平面６ｂと蓋７の端部下面７ｂ間に挟圧され、蓋７と蓋受け５の段部６間の隙間がパッキン１によって確実に閉塞される。
特にこの場合、縦片部２の厚みがその下方で分厚くなされていることから、上記空隙８が存在することと相俟って蓋７の嵌合が進むに従って縦片部２が適宜に反発弾性効果を発揮しながら圧縮変形し、上記隙間の閉塞がより確実に行え好ましい。
又、上記蓋７の閉塞、嵌合に際して、パッキン１の縦片部２の上端部２ａが丸みを帯びて蓋受け５の段部６の上端部付近に位置することから、蓋７の端縁下部がパッキン１（縦片部２）の上端部２ａに引っ掛かるようなことがなく、蓋７が上記丸みに沿って速やかに嵌合されるとともに、蓋７の開放に際しては、上記空隙８を圧縮していたパッキン１が空隙８を広げるべく速やかに弾性反発する。
更に、蓋７や蓋受け５を含むブロック体９が熱変形、特に膨張した際には、上記凹部４による空隙８がパッキン１自体の変形の逃げ場となり、その体積変化を吸収して蓋７の蓋受け５（パッキン１）への食い込みを防止し、蓋７の嵌合状態を好適に維持することができる。
【００１６】  図３は本発明の蓋受け用のパッキンの他実施の形態を示し、本実施形態のパッキン１は図１のものの変形例であって、縦片部２がその外側面２ｂ及び内側面２ｃをやや傾斜状として夫々蓋受け５の段部６の傾斜状の立上り面６ａ、蓋７の傾斜状の外壁面７ａに略適合すべくなされ、縦片部２の厚みが略均一となされ、縦片部２の外側面２ｂの凹部４の凹陥度合が略均一乃至やや下方に向け深くなされ、横片部３が縦片部２に比し極めて短くなされている点で図１のものと異なる他は上記と同様のものである。
本実施形態のパッキン１も図３に示す如く上記と同様に蓋受け５の段部６に装着され、蓋７の開閉や膨張に際して上記と同様に弾性変形し、その説明は上記のものを援用する。
又、上記図３における蓋受け５は、コンクリート製等の枠状ブロック体９の上部に金属製等の断面略鍔付きキャップ状の受枠材５ａが嵌着されて形成され、該受枠材５ａの内側が蓋受用の段部６となされている。
【００１７】  図４は本発明の蓋受け用のパッキンの更に他実施の形態を示し、本実施形態のパッキン１は図４（イ）及び（ロ）に示す如く、上記図１における凹部４が縦片部２の外側面２ｂではなく内側面２ｃの上下方向中途部及び下部（横片部３の上面に隣接する）に設けられる他は図１と同様のものであって、同様部分の説明は上記のものを援用する。
本実施形態のパッキン１は、蓋受け５への装着時には上記の如き所定の空隙８が蓋受け５との間に形成されず、蓋受け５に蓋７を嵌合すると、図４（ハ）に示す如く、パッキン１が蓋７と蓋受け５の段部６により挟圧されて圧縮変形する際、上記凹部４が蓋７の外壁面７ａとパッキン１（縦片部２）間で所定の空隙８を形成しつつ圧縮されて、その内側面２ｃが蓋７の外壁面７ａに圧接されて十分弾性変形し、横片部３が蓋受け５の段部６の略水平面６ｂと蓋７の端部下面７ｂ間に挟圧され、蓋７と蓋受け５の段部６間の隙間がパッキン１によって確実に閉塞される。
又、内側面２ｃの下部の凹部４は上記の如くパッキン１の弾性変形に寄与するとともに、蓋７の外壁面７ａの下部で蓋７の端部下面７ｂとパッキン１の横片部３上面間に侵入したごみ、埃等の収納をも兼ねる。
【００１８】  上記各実施形態において、蓋受け５の全体形状は、例えば地表埋設用枠体の上部を構成すべく平面視円形枠状や隅丸方形枠状（図５（イ）及び（ロ）の場合は夫々上記図３の断面略鍔付きキャップ状の受枠材５ａを使用した例を示す）等、平面視適宜形状の枠状となされたり、或いは断面略Ｕ形状の側溝等溝類の相対向する上部開口縁部に沿う略平行な直線状（図５（ハ）の場合は溝類をなすブロック体９の相対向する上部開口段部に上記図２や図４の断面略Ｌ形の受枠材５ａを使用した例を示す）となされる。
従って、上記長尺状のパッキン１は蓋受け５の形状に応じてその段部６の延長方向に沿って装着されればよく、例えば図５（イ）の場合には平面視円形状に、図５（ロ）の場合には平面視隅丸方形状に、図５（ハ）の場合には平面視略平行する直線状に夫々装着される。
尚、蓋受け５に関し、受枠材５ａを図５（イ）及び（ロ）において図２や図４の断面略Ｌ形のものに変更したり、図５（ハ）において図３の断面略鍔付きキャップ状のものに変更しうることは勿論であり、受枠材５ａも蓋受用の段部６を有する適宜断面形状となされてもよく、又、受枠材５ａによって蓋受け５が形成されるのが好ましいが、受枠材５ａを使用せずに例えば図６に示す如くブロック体９の上部が直接段部６をなして蓋受け５を形成するようになされてもよい。
又、蓋７も適宜材料から作製され、蓋受け５に嵌合しうる閉塞型、完全な密閉型や、例えば図８に示す如き格子状等の開口部を有するグレーチング蓋等の蓋類であればよく、特に限定されない。
【００１９】  尚又、本発明の蓋受け用のパッキンは必ずしも上記実施形態のものに限定されることなく、本発明の意図する範囲内で種々の設計変更がなされてもよい。
即ち、縦片部２の形状は、その外側面２ｂがパッキン１を装着する蓋受け５の段部６の立上り面６ａに、内側面２ｃが蓋受け５に嵌合する蓋７の外壁面７ａに夫々略適合すべくなされておればよく、その厚みも下方で分厚くなされると、蓋７の閉塞、嵌合深さに相応して適宜優れた弾性作用が発揮でき好ましいが、均一、不均一を問わず弾性変形可能な適宜厚みを有しておればよく、直立状や傾斜状の他、必要に応じて屈曲や湾曲状（図１１（ニ）、（チ）及び図１２（イ）乃至（ハ）参照）等となされてもよい。
例えば図７（イ）及び（ロ）に示す如く、縦片部２の外側面２ｂが略垂直状で、内側面２ｃが上下方向に屈曲されて凸状屈曲面をなし、詳しくは傾斜面をなす内側面２ｃの上部と下部が異なる勾配の傾斜面をなして内側に凸状に形成されてもよい。
上記図７（イ）の場合は、内側面２ｃの下部がグレーチング蓋７の傾斜面（上部で屈曲する）をなす外壁面７ａ下部に略沿う傾斜面、上部がこれより緩傾斜面となされ、蓋７の閉塞、嵌合時に蓋７の外壁面７ａと内側面２ｃの上部との間に空隙８ｂが形成されつつ、該空隙８ｂと凹部４による空隙８が圧縮されてパッキン１が十分弾性変形可能となされ、図７（ロ）の場合は、内側面２ｃの上部が蓋７の一様な傾斜面をなす外壁面７ａに略沿う傾斜面、下部がこれより急傾斜面となり、蓋７の閉塞、嵌合時に蓋７の外壁面７ａと内側面２ｃの下部との間に空隙８ｂが形成されつつ、該空隙８ｂと凹部４による空隙８が圧縮されてパッキン１が十分弾性変形可能となされている。
【００２０】  尚、上記図７（イ）及び（ロ）に示すパッキン１は同一のもの（蓋受け５は若干異なる）で、嵌合する蓋７（詳しくは外壁面７ａの形状）が異なるものに兼用可能となされているが、必ずしもこれに限定されない。例えば図１１（ニ）、（チ）に示す如き縦片部２の全体が屈曲や湾曲状となされる場合を含め、内側面２ｃが図１２（イ）に示す如き上部と下部の勾配の異なる２つの傾斜面、或いは図１２（ロ）に示す如き上部と下部及びその中間部の勾配の異なる３つの傾斜面が夫々上下方向に屈曲状に連設されて下部側が上部側に比し急勾配をなす凸状屈曲面となされてもよく、要は、縦片部２の少なくとも内側面２ｃが複数の傾斜面により上下方向に屈曲されて適宜凸状屈曲面をなして、蓋７の閉塞、嵌合時に蓋７の外壁面７ａと内側面２ｃとの間に空隙８ｂが形成されつつ該空隙８ｂが圧縮されてパッキン１が十分弾性変形可能となるようになされてもよい。
上記の如く内側面２ｃが複数の傾斜面により形成されていると、該傾斜面のいずれかに略適合する傾斜状の外壁面７ａが異なる蓋７を適宜選択して使用できて、汎用性に富む利点がある。
又、図１２（ハ）に示す如く、外側面２ｂ及び内側面２ｃがともに湾曲面をなして縦片部２の全体が湾曲した傾斜状となされてもよい。この場合、外側面２ｂ及び内側面２ｃがともに湾曲面をなすために、使用時にその湾曲面のいずれかの面（点）に蓋受け５の段部６の立上り面６ａや蓋７の外壁面７ａが接して変形することとなる。即ち、外側面２ｂが、上記段部６の種々の勾配をなす立上り面６ａ（図１２（ハ）で一点鎖線で示す略垂直方向６ａ１から傾斜方向６ａ２に至るまでの各種勾配を有する立上り面）に略適合可能となされ、内側面２ｃが、上記蓋７の種々の勾配をなす外壁面７ａ（図１２（ハ）で一点鎖線で示す急傾斜方向７ａ１から緩傾斜方向７ａ２に至るまでの各種勾配を有する外壁面）に略適合可能となされ、複数種類の蓋受け５と蓋７に使用できる利点を有する。
尚又、縦片部２は、外側面２ｂにこだわらず少なくとも内側面２ｃが上下方向に適宜凸状湾曲面をなしてもよく、上記凸状屈曲面の場合と同様に蓋７の閉塞、嵌合時にパッキン１が十分弾性変形可能となされてもよい。
【００２１】  縦片部２の上端部２ａも上記の如く全体的に丸みが付されているのが好ましいが、例えば図１１（ロ）に示す如く内側面２ｃ側にのみ丸みが付されてもよいし、或いは図１１（ホ）に示す如く必ずしも丸みが付されなくともよいし、又、装着時に蓋受け５の段部６上端部付近に位置すべくなされるのが好ましい。
又、例えば図８（イ）に示す如く、縦片部２の内側面２ｃが上端部に凹部４が設けられた傾斜状となされ、該内側面２ｃの凹部４がグレーチングの蓋７の屈曲した外壁面７ａに圧接されてこれに沿うように圧縮変形すべくなされてもよいし、図８（ロ）に示す如く縦片部２の上端部２ａも蓋受け５の段部６上端部よりやや下方で蓋７の屈曲した外壁面７ａに圧接されて圧縮変形するようになされてもよい。
又、縦片部２は上記実施形態の如く中実状となされる他、例えば図９（イ）に示す如く厚みが分厚い下部等に中空部２ｄが設けられて圧縮時の弾性変形を助長するようになされてもよい。
【００２２】  縦片部２の凹部４は、外側面２ｂ又は内側面２ｃの適宜位置に縦片部２の高さに対してある程度の割合を占めて上下に所定幅を有してパッキン１の長さ方向に沿って設けられているが、例えば図９（ロ）〜（ニ）に示す如く外側面２ｂ及び内側面２ｃの両面に上記のように設けられてもよい。
この場合、上記両面での凹部４の形成位置は、図９（ロ）に示す如き相対する位置や、図９（ハ）及び（ニ）に示す如き上下にずれた位置等適宜となされればよいとともに、両面の凹部４の大きさや凹陥深さは弾性変形に有効な適宜寸法に設定されればよく、蓋７の閉塞、嵌合時には、外側面２ｂや内側面２ｃに凹部４が設けられた上記両作用が絡み合って縦片部２が蓋７と蓋受け５に挟圧される。
又、縦片部２の凹部４は、上記の如き長さ方向に連続的に設けられる他、例えば図１０（イ）、（ロ）及び図１０（ハ）、（ニ）に示す如く長さ方向に断続的に設けられてもよく、この場合には各凹部４は方形状に凹陥形成されているがこれに限らず他の適宜形状に凹陥形成されてもよいし、その各凹部４の大きさや凹部４間の間隔は縦片部２の上記圧縮変形に支障を来さない程度であればよい。
尚、外側面２ｂ及び内側面２ｃの両面に凹部４が上記の如く断続的に設けられてもよく、又、上記凹部４が断続する場合には、凹部４により形成される上記所定の空隙８も上下に広がる所定幅を有してパッキン１の長さ方向に断続する。
又、長さ方向に連続又は断続的に設けられた凹部４は、例えば図１１（イ）、（ホ）及び図１２（ハ）に示す如く上下２段に分割されてもよいし、或いは図１２（イ）に示す如く上下４段に分割される等、上下に適宜複数段に分割されてもよい。
【００２３】  上記凹部４の凹陥形状、即ち断面形状に関しても特に限定するものではなく、上記実施形態や図９及び図１０に示す如く外側面２ｂ及び／又は内側面２ｃから段状に凹陥されてもよいし、図１１（ロ）、（ハ）、（ヘ）、（ト）に示す如く外側面２ｂ又は内側面２ｃから滑らかに凹陥されてもよく、その凹陥面も上記実施形態に示す如き平面状の他、図１１（ロ）〜（ニ）及び（ヘ）〜（チ）に示す如く湾曲や屈曲面状等適宜形状となされればよい。尚、図１１では縦片部２の外側面２ｂ又は内側面２ｃに凹部４がある場合を例示しているが、外側面２ｂ及び内側面２ｃの両面に凹部４が設けられる場合にも適用できる。
又、凹部４の凹陥度合も縦片部２の圧縮変形による効果が発揮可能な程度であればよく、縦片部２の厚みに応じて適宜深さに凹陥されればよい。
又、例えば図６及び図７（イ）、（ロ）に示す如く、縦片部２の外側面２ｂの下端隅角部に切欠部４ａが設けられ、蓋受け５に装着時にその段部６との間に空隙８ａが形成され、パッキン１の圧縮変形時に空隙８ａが圧縮されてパッキン１の弾性変形を助長するようになされてもよく、更に、図６に示す如く外側面２ｂの下端部に凹部４が上記切欠部４ａに連設され、パッキン１の圧縮変形時に凹部４によって形成される空隙８と上記空隙８ａが連通されてもよい。この空隙８ａ及び空隙８と連通する空隙８ａは、蓋受け５の立上り面６ａの下部でパッキン１の横片部３下面と蓋受け５の略水平面６ｂの上面間に侵入したごみ、埃等の収納をも兼ねる。尚、図９（ハ）、図１１（ロ）、（ニ）、（ヘ）及び図１２（イ）、（ロ）に示すものも上記切欠部４ａが設けられている。
【００２４】  更に、横片部３は縦片部２に比し厚みが薄くなされているが、これに限らず適宜厚みの略水平板片状で弾性を有し、蓋受け５の段部６の略水平面６ｂの幅内に収まる程度の長さを有しておればよい。
特に図１１（ロ）、（ハ）及び図１２（ハ）に示す如く、横片部３の厚みがその先端側に向け漸次分厚くなされると、例えば図１３（図１１（ハ）に示すパッキン１の使用状態）に示す如く、蓋７の閉塞、嵌合時に横片部３が蓋受け５の段部６の略水平面６ｂと蓋７の端部下面７ｂ間に挟圧され、横片部３が圧縮変形して分厚い先端部が上記略水平面６ｂと下面７ｂとの隙間から内腔側に膨出して隙間を確実に密閉し、例えば汚水マス等にあってはその内腔から外部への悪臭の発散防止等に優れた効果を発揮する。
又、横片部３の先端部３ａには例えば図１１（ハ）や図１２（ハ）に示す如く凸湾曲状の丸みが付されていてもよく、この場合には、蓋７の閉塞、嵌合時に、横片部３が圧縮変形して先端部３ａが上記段部６の略水平面６ｂと蓋７の下面７ｂとの隙間から内腔側に突出して隙間を閉塞しやすく、特に上記の如く横片部３が先端側で分厚いとこれと相俟って図１３に示す如く先端部３ａが上記隙間から内腔側に膨出して隙間を一層確実に密閉できる利点がある。
尚又、例えば図１１（ト）に示す如く横片部３の下面又は上面に上記と略同様な凹部４が設けられ（横片部３の厚みがある程度分厚い方が好ましい）、縦片部２と同様に横片部３の弾性変形が助長すべくなされてもよいし、或いは又、縦片部２の内側面２ｃ下端と横片部２の上面との連設部は角張っていてもよいし、例えば図１１（ロ）や図１２（ハ）に示す如く丸みが付された隅部４ｂに形成されていてもよい。
【符号の説明】
【００２５】  １  パッキン
２  縦片部
２ａ  上端部
２ｂ  外側面
２ｃ  内側面
３  横片部
３ａ  先端部
４  凹部
５  蓋受け
６  段部
６ａ  立上り面
６ｂ  略水平面
７  蓋
７ａ  外壁面
７ｂ  下面
８，８ａ，８ｂ  空隙
【図１】
2011064051.tif 000003
【図２】
2011064051.tif 000004
【図３】
2011064051.tif 000005
【図４】
2011064051.tif 000006
【図５】
2011064051.tif 000007
【図６】
2011064051.tif 000008
【図７】
2011064051.tif 000009
【図８】
2011064051.tif 000010
【図９】
2011064051.tif 000011
【図１０】
2011064051.tif 000012
【図１１】
2011064051.tif 000013
【図１２】
2011064051.tif 000014
【図１３】
2011064051.tif 000015